(57)【要約】【課題】  構成の複雑化、高コスト化を招くことなく、適正な放熱を可能とする光ピックアップ装置及びこれを用いた光ディスク装置を提供する。【解決手段】  光源２１から出射された光ビームを回転駆動される光ディスクの信号記録面に集光する対物レンズ２３を保持し、フォーカス方向Ｆとトラッキング方向Ｔとに移動されるレンズホルダ１２と、レンズホルダ１２をフォーカス方向Ｆ及びトラッキング方向Ｔに移動可能に支持する支持部１３と、レンズホルダ１２に設けられたコイル５１，５２に所定の磁界を与えるマグネット５３，５４とを有する対物レンズ駆動機構１１を備える光ピックアップ装置において、光源２１を固定する光源保持部６３と、少なくとも光源２１に近接する位置に設けられたマグネット５３に取り付けられるヨーク部材６１とを有し、光源保持部６３とヨーク部材６１とは、熱伝導性の高い金属により構成され、ヨーク部材６１は、光源２１側に延設されて光源保持部６３に伝熱可能なように固定されている。【選択図】  図６
2009043308.tif 000002
【特許請求の範囲】
【請求項１】
光源から出射された光ビームを回転駆動される光ディスクの信号記録面に集光する対物レンズを保持し、上記対物レンズの光軸と平行なフォーカス方向と、上記対物レンズの光軸方向と直交するトラッキング方向とに移動されるレンズホルダと、
上記レンズホルダを上記フォーカス方向及び上記トラッキング方向に移動可能に支持する支持部と、
上記レンズホルダに設けられたコイルに所定の磁界を与えるマグネットとを有する対物レンズ駆動機構を備える光ピックアップ装置において、
光源を固定する光源保持部と、
少なくとも上記光源に近接する位置に設けられたマグネットに取り付けられるヨーク部材とを有し、
上記光源保持部と上記ヨーク部材とは、熱伝導性の高い金属により構成され、
上記ヨーク部材は、上記光源側に延設されて上記光源保持部に伝熱可能に固定されている光ピックアップ装置。
【請求項２】
上記ヨーク部材の上記光源側に延設された延設部が光ディスクに対向するように上記光ディスクに略平行に設けられている請求項１記載の光ピックアップ装置。
【請求項３】
上記ヨーク部材は、上記延設部に対して略直交する第２の延設部を有している請求項２記載の光ピックアップ装置。
【請求項４】
さらに、上記対物レンズ駆動機構、上記ヨーク部材及び上記レーザ保持部材を取り付けるためのピックアップベースと、
上記ピックアップベースの上記対物レンズ駆動機構が設けられた側と反対側の面をカバーする金属製のベース用カバー部材とを備え、
上記ベース用カバー部材は、上記第２の延設部に伝熱可能に固定されている請求項３記載の光ピックアップ装置。
【請求項５】
さらに、上記対物レンズ駆動機構の上記光ディスク側を覆う金属製の駆動機構用カバー部材が設けられており、
上記駆動機構用カバー部材は、上記ヨーク部材に伝熱可能に固定されている請求項１記載の光ピックアップ装置。
【請求項６】
さらに、上記対物レンズ駆動機構、上記ヨーク部材及び上記レーザ保持部材を取り付けるためのピックアップベースとを備え、
上記ピックアップベースは、モールド樹脂により形成されている請求項１記載の光ピックアップ装置。
【請求項７】
光ディスクを保持して回転駆動する駆動手段と、
光源から出射された光ビームを回転駆動される光ディスクの信号記録面に集光する対物レンズを保持し、上記対物レンズの光軸と平行なフォーカス方向と、上記対物レンズの光軸方向と直交するトラッキング方向とに移動されるレンズホルダと、上記レンズホルダを上記フォーカス方向及び上記トラッキング方向に移動可能に支持する支持部と、上記レンズホルダに設けられたコイルに所定の磁界を与えるマグネットとを有する対物レンズ駆動機構を備え、上記駆動手段によって回転駆動される光ディスクに対し光ビームを照射することにより情報信号の記録及び／又は再生を行う光ピックアップ装置とを有する光ディスク装置において、
上記光ピックアップ装置は、光源を固定する光源保持部と、
少なくとも上記光源に近接する位置に設けられたマグネットに取り付けられるヨーク部材とを有し、
上記光源保持部と上記ヨーク部材とは、熱伝導性の高い金属により構成され、
上記ヨーク部材は、上記光源側に延設されて上記光源保持部に伝熱可能に固定されている光ディスク装置。
【発明の詳細な説明】
【技術分野】
【０００１】
本発明は、光ディスクに対して情報信号の記録及び／又は再生を行う光ピックアップ装置及びこれを用いた光ディスク装置に関する。
【背景技術】
【０００２】
従来、情報信号の記録媒体として、ＣＤ（Compact Disc）、ＤＶＤ(Digital Versatile Disc)等の光ディスクや、さらに高密度記録を可能とするため青紫色半導体レーザ等による波長４０５ｎｍ程度の光ビームを用いて信号の記録再生を行う光ディスク（以下、「高密度記録光ディスク」という。）が用いられ、この種の光ディスクに情報信号の記録を行い、あるいは光ディスクに記録された情報信号の再生を行うために光ピックアップ装置が用いられている。
【０００３】
このような光ピックアップ装置は、光ビームを出射する光源と、光源から出射された光ビームを光ディスクの信号記録面に光スポットとして集束させる対物レンズと、信号記録面で反射された戻りの光ビームを受光する受光素子とを有している。これらの光学部品は、金属製又は樹脂製のピックアップベースに取り付け固定されている。また、かかる光ピックアップ装置には、対物レンズを例えばフォーカス方向及びトラッキング方向に駆動させる対物レンズ駆動機構としてアクチュエータが設けられている。
【０００４】
近年、光ピックアップ装置において、高速化が進んでおり、また、記録可能な光ディスクに対して記録を行うために、光源として高出力のレーザダイオードが使用されている。このレーザダイオードの高出力化に伴い、発熱量が増加することとなるが、この発熱を適正に放熱できない場合には、レーザの温度上昇によるレーザの性能劣化及び寿命劣化を招くといった問題が発生するおそれがある。
【０００５】
その一方で、製作工程の簡素化、生産性の向上及び低コスト化の観点から、ピックアップベースとして樹脂製のものを用いたいという要請があり、樹脂製のピックアップベースを用いる場合には、金属製のものに比べて熱伝導性が低いため放熱が難しく、上述のような問題が発生する可能性が高くなってしまう。
【０００６】
【特許文献１】特開２００５−３５３１２０号公報
【発明の開示】
【発明が解決しようとする課題】
【０００７】
本発明の目的は、構成の複雑化、高コスト化を招くことなく、適正な放熱を可能とする光ピックアップ装置及びこれを用いた光ディスク装置を提供することにある。
【課題を解決するための手段】
【０００８】
この目的を達成するため、本発明に係る光ピックアップ装置は、光源から出射された光ビームを回転駆動される光ディスクの信号記録面に集光する対物レンズを保持し、上記対物レンズの光軸と平行なフォーカス方向と、上記対物レンズの光軸方向と直交するトラッキング方向とに移動されるレンズホルダと、上記レンズホルダを上記フォーカス方向及び上記トラッキング方向に移動可能に支持する支持部と、上記レンズホルダに設けられたコイルに所定の磁界を与えるマグネットとを有する対物レンズ駆動機構を備える光ピックアップ装置において、光源を固定する光源保持部と、少なくとも上記光源に近接する位置に設けられたマグネットに取り付けられるヨーク部材とを有し、上記光源保持部と上記ヨーク部材とは、熱伝導性の高い金属により構成され、上記ヨーク部材は、上記光源側に延設されて上記光源保持部に伝熱可能に固定されている。
【０００９】
また、本発明に係る光ディスク装置は、光ディスクを保持して回転駆動する駆動手段と、光源から出射された光ビームを回転駆動される光ディスクの信号記録面に集光する対物レンズを保持し、上記対物レンズの光軸と平行なフォーカス方向と、上記対物レンズの光軸方向と直交するトラッキング方向とに移動されるレンズホルダと、上記レンズホルダを上記フォーカス方向及び上記トラッキング方向に移動可能に支持する支持部と、上記レンズホルダに設けられたコイルに所定の磁界を与えるマグネットとを有する対物レンズ駆動機構を備え、上記駆動手段によって回転駆動される光ディスクに対し光ビームを照射することにより情報信号の記録及び／又は再生を行う光ピックアップ装置とを有する光ディスク装置において、上記光ピックアップ装置は、光源を固定する光源保持部と、少なくとも上記光源に近接する位置に設けられたマグネットに取り付けられるヨーク部材とを有し、上記光源保持部と上記ヨーク部材とは、熱伝導性の高い金属により構成され、上記ヨーク部材は、上記光源側に延設されて上記光源保持部に伝熱可能に固定されている。
【発明の効果】
【００１０】
本発明は、発熱源となる光源を保持する光源保持部と、マグネットに取り付けられるヨーク部材とをそれぞれ熱伝導性の高い材料により形成し、光源で発生した熱を光源保持部を介してヨーク部材と、さらにヨーク部材を介してマグネットとに伝熱させることにより、ヨーク部材及びマグネットから放熱させることができ、構成の複雑化、高コスト化を招くことなく、適正な放熱を実現する。
【発明を実施するための最良の形態】
【００１１】
以下、本発明を適用した光ピックアップ装置を用いた光ディスク装置について、図面を参照して説明する。光ディスク装置１０１は、図１に示すように、光ディスク１０２に対して情報信号の記録及び／又は再生を行う記録再生装置である。
【００１２】
この光ディスク装置１０１で記録及び／又は再生を行う光ディスク１０２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００１３】
光ディスク装置１０１は、図１に示すように、光ディスク１０２を回転駆動する駆動手段としてのスピンドルモータ１０３と、光ピックアップ装置１と、光ピックアップ装置１をその半径方向に移動させる駆動手段としての送りモータ１０５とを備えている。ここで、スピンドルモータ１０３は、システムコントローラ１０７及び制御回路部１０９により所定の回転数で駆動するように制御されている。
【００１４】
信号変復調器及びＥＣＣブロック１０８は、信号処理部１２０から出力される信号の変調、復調及びＥＣＣ（エラー訂正符号）の付加を行う。光ピックアップ装置１は、システムコントローラ１０７及び制御回路部１０９からの指令に従って回転する光ディスク１０２の信号記録面に対して光ビームを照射する。このような光ビームの照射により光ディスク１０２に対する情報信号の記録が行われ、光ディスク１０２に記録された情報信号の再生が行われる。
【００１５】
また、光ピックアップ装置１は、光ディスク１０２の信号記録面から反射される反射光ビームに基づいて、後述するような各種の光ビームを検出し、各光ビームから得られる検出信号を信号処理部１２０に供給するように構成されている。
【００１６】
信号処理部１２０は、各光ビームを検出して得られる検出信号に基づいて各種のサーボ用信号、すなわち、フォーカスエラー信号、トラッキングエラー信号を生成し、さらに、光ディスクに記録された情報信号であるＲＦ信号を生成する。また、再生対象とされる記録媒体の種類に応じて、制御回路部１０９、信号変調器及びＥＣＣブロック１０８等により、これらの信号に基づく復調及び誤り訂正処理等の所定の処理が行われる。
【００１７】
ここで、信号変調器及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００１８】
また、信号変調器及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
【００１９】
光ピックアップ装置１には、送りモータ１０５が接続されている。光ピックアップ装置１は、送りモータ１０５の回転によって光ディスク１０２の径方向に送り操作され、光ディスク１０２上の所定の記録トラックまで移動される。スピンドルモータ１０３の制御と、送りモータ１０５の制御と、光ピックアップ装置１の対物レンズをその光軸方向のフォーカス方向及び光軸方向と直交するトラッキング方向へ移動変位させる対物レンズ駆動機構１１の制御は、それぞれ制御回路部１０９により行われる。
【００２０】
すなわち、制御回路部１０９は、スピンドルモータ１０３の制御を行い、フォーカスエラー信号及びトラッキングエラー信号に基づいて対物レンズ駆動機構１１の制御を行う。
【００２１】
また、制御回路部１０９は、信号処理部１２０から入力されるフォーカスエラー信号、トラッキングエラー信号、ＲＦ信号などに基づいて、光ピックアップ装置１に設けられたトラッキングコイル及びフォーカスコイルに供給するための駆動信号（駆動電流）をそれぞれ生成するように構成されている。
【００２２】
また、レーザ制御部１２１は、光ピックアップ装置１におけるレーザ光源を制御するものである。
【００２３】
尚、ここでフォーカス方向Ｆとは、光ピックアップ装置１の対物レンズ２３，２４の光軸方向をいい、タンジェンシャル方向Ｔｚとはフォーカス方向Ｆと直交する方向であって光ディスク装置１０１の円周のタンジェンシャル方向Ｔｚと平行する方向をいい、トラッキング方向Ｔとはフォーカス方向Ｆ及びタンジェンシャルＴｚ方向と直交する方向をいう。
【００２４】
次に、本発明が適用された光ピックアップ装置１について詳細に説明する。
【００２５】
光ピックアップ装置１は、波長を異にする複数種類の光ビームを選択的に用いて情報信号の記録又は再生が行われる複数種類の光ディスク１０２に対して、情報信号の記録及び／又は再生を行う光ディスク装置に用いられるものであり、具体的には、波長４００〜４１０ｎｍ程度の第１の波長の光ビームを用いて情報信号の記録又は再生が行われる第１の光ディスクと、波長６５０〜６６０ｎｍ程度の第２の波長の光ビームを用いて情報信号の記録又は再生が行われる第２の光ディスクと、波長７６０〜８００ｎｍ程度の第３の波長の光ビームを用いて情報信号の記録又は再生が行われる第３の光ディスクとに対して情報信号の記録及び／又は再生を行うものとして説明する。
【００２６】
尚、以下では、光ピックアップ装置１を異なる３種類の光ディスクに対して、情報信号の記録及び／又は再生を行うものとして説明するが、これに限られるものではなく、異なる複数種類又は１種類の光ディスクに対して情報信号の記録及び／又は再生を行うものであってもよい。
【００２７】
本発明が適用された光ピックアップ装置１は、上述した異なる波長の複数種類の光ビームを出射する半導体レーザ等からなる第１及び第２の光源２１，２２と、光ディスク１０２の信号記録面から反射される反射光ビームを検出する光検出素子としてのフォトダイオードと、第１及び第２の光源２１，２２からの光ビームを光ディスク１０２に導くとともに、光ディスク１０２で反射した光ビームを光検出素子に導く光学系とを有している。
【００２８】
ここで、第１の光源２１は、第１の波長の光ビームを出射させる出射部を有しており、第２の光源２２は、第２の波長の光ビームを出射させる出射部と、第３の波長の光ビームを出射させる出射部とを有している。
【００２９】
この光ピックアップ装置１は、図２に示すように、光ディスク装置１０１の筐体内で光ディスク１０２の半径方向Ｒ（以下、「ラジアル方向」ともいう。）に移動可能に設けられた各種構成部品の取り付け基台としてのピックアップベース２０上に設けられている。尚、図２中矢印ＲＩは、ラジアル方向のうち内周側に向けた方向を示し、矢印ＲＯは、ラジアル方向のうち外周側に向けた方向を示すものである。
【００３０】
また、光ピックアップ装置１は、図３に示すように光源から出射された光ビームを集光して光ディスクに照射する複数の対物レンズ２３，２４を支持するレンズホルダ１２と、レンズホルダ１２からタンジェンシャル方向Ｔｚに間隔をおいて配置されピックアップベース（取り付け基台）２０に取り付けられた支持体１３と、支持体１３に対してレンズホルダ１２をフォーカス方向Ｆ及びトラッキング方向Ｔに移動可能に支持する複数の支持アーム１４とを備える。このレンズホルダ１２、支持体１３及び支持アーム１４は、後述の各コイル５１，５２及びマグネット５３，５４とともに、後述のように対物レンズ２３，２４をフォーカス方向Ｆ及びトラッキング方向Ｔに駆動する対物レンズ駆動機構１１として機能する。すなわち、対物レンズ駆動機構１１は、光源２１，２２から出射された光ビームを回転駆動される光ディスクの信号記録面に集光する対物レンズ２３，２４を保持し、フォーカス方向Ｆとトラッキング方向Ｔとに移動されるレンズホルダ１２と、弾性部材である支持アーム１４を介してレンズホルダ１２をフォーカス方向Ｆ及びトラッキング方向Ｔに移動可能に支持する支持体１３と、レンズホルダ１２に設けられたコイル５１，５２に所定の磁界を与えるマグネット５３，５４とを有する。また、この第１及び第２の対物レンズ２３，２４は、光ピックアップ装置１の光学系の一部を構成している。この第１の対物レンズ２３は、例えば、ガラスにより形成され、第２の対物レンズ２４は、例えば、合成樹脂により形成されているものとして説明するが、これに限られるものではなく第１及び第２の対物レンズ２３，２４が、ガラス又は合成樹脂により形成されていればよい。
【００３１】
尚、光ピックアップ装置１では、ラジアル方向Ｒ（トラッキング方向Ｔ）に並んで配置される複数の対物レンズ２３，２４を備えるように構成したが、対物レンズの数及び配置はこれに限られるものではなく、例えば複数の対物レンズをタンジェンシャル方向Ｔｚに配置するように構成してもよい。
【００３２】
第１及び第２の光源２１，２２から出射された光ビームを光ディスク１０２に導く光学系としては、図４に示すように、第１の光源２１から出射された光ビームを第１の対物レンズ２３を介して第１の光ディスクである光ディスク１０２に導く第１の光学系１８と、第２の光源２２から出射された光ビームを第２の対物レンズ２４を介して第２又は第３の光ディスクである光ディスク１０２に導く第２の光学系１９とが設けられている。
【００３３】
第１の光学系１８は、少なくとも、第１の光源２１から出射された第１の波長の光ビームを回折して少なくとも３ビームに分割する第１のグレーティング２５と、第１のグレーティング２５で回折された光ビームの発散角を変換して略平行光とする第１のコリメータレンズ２６と、第１のコリメータレンズ２６で略平行光とされた光ビームを反射して第１の対物レンズ２３及び光ディスク１０２側に導く第１の立ち上げミラー３１と、第１の立ち上げミラー３１から出射された光ビームを光ディスクの信号記録面に集光する上述した第１の対物レンズ２３とを有する。また、第１の光学系１８は、第１のグレーティング２５と第１のコリメータレンズ２６との間に設けられ、第１の対物レンズ２３により集光され光ディスクで反射された戻りの光ビームの光路を、第１の光源２１から出射された往路の光ビームの光路から分離する偏光ビームスプリッタ２８と、偏光ビームスプリッタ２８で分離された戻りの光ビームを受光して検出する第１の光検出器２９と、偏光ビームスプリッタ２８と第１の光検出器２９との間に設けられ、偏光ビームスプリッタ２８で分離された戻りの光ビームを第１の光検出器２９の受光面に集光させるマルチレンズ３０とを有する。
【００３４】
また、第２の光学系１９は、少なくとも、第２の光源２２から出射された第２及び第３の波長の光ビームを回折して少なくとも３ビームに分割する第２のグレーティング３３と、第２のグレーティング３３で回折された光ビームの発散角を変換して略平行光とする第２のコリメータレンズ３４と、第２のコリメータレンズ３４で略平行光とされた光ビームを反射してフォーカス方向Ｆに略直交する面内において光ビームの光路を変更する折り曲げミラー３５と、折り曲げミラー３５から出射された光ビームを反射して第２の対物レンズ２４及び光ディスク１０２側に導く第２の立ち上げミラー３２と、第２の立ち上げミラー３２から出射された光ビームを光ディスクの信号記録面に集光する上述した第２の対物レンズ２４とを有する。また、第２の光学系１９は、第２のグレーティング３３と第２のコリメータレンズ３４との間の光路上に設けられ、第２の対物レンズ２４により集光され光ディスクで反射された戻りの光ビームの光路を、第２の光源２２から出射された往路の光ビームの光路から分離するビームスプリッタ３６と、ビームスプリッタ３６で分離された戻りの光ビームを受光して検出する第２の光検出器３７とを有する。
【００３５】
上述した対物レンズ２３，２４が保持されたレンズホルダ１２には、光ディスクの略半径方向であるトラッキング方向Ｔに駆動力を発生させるトラッキングコイル５１と、光ディスクに近接及び離間する方向であるフォーカス方向Ｆに駆動力を発生させるフォーカスコイル５２とが取り付けられている。ピックアップベース２０には、レンズホルダ１２との間に、ヨーク部材６１，６２が取り付けられている。このヨーク部材６１，６２は、レンズホルダ１２を挟むように配置されており、第１及び第２の対物レンズ２３，２４を挟んで相対向するように一対のヨーク片６１ａ，６２ａが立ち上がり形成される。各ヨーク片６１ａ，６２ａの相対向する面には、一対のマグネット５３，５４が取り付けられている。この一対のマグネット５３，５４は、トラッキングコイル５１及びフォーカスコイル５２に対向するように配置され、このトラッキングコイル５１及びフォーカスコイル５２に所定の磁界を与える。
【００３６】
そして、このトラッキングコイル５１及びフォーカスコイル５２に駆動用の電流が供給されると、各コイル５１，５２に供給された電流と、マグネット５３，５４からの磁界との相互作用によって、レンズホルダ１２をトラッキング方向Ｔ及びフォーカス方向Ｆに駆動変位させる。
【００３７】
その結果、レンズホルダ１２に支持された第１及び第２の対物レンズ２３，２４が、フォーカス方向Ｆ及び／又はトラッキング方向Ｔに駆動変位され、第１及び第２の対物レンズ２３，２４を介して光ディスクに照射される光ビームが光ディスクの信号記録面に合焦するように制御されるフォーカス制御が行われ、光ビームが光ディスクに形成された記録トラックを追従するように制御されるトラッキング制御が行われる。尚、ここでは、トラッキングコイル及びフォーカスコイル並びにこれに磁界を与えるマグネットについて説明したが、例えば、タンジェンシャル方向Ｔｚの軸回り方向である所謂ラジアルチルト方向や、トラッキング方向Ｔの軸回り方向である所謂タンジェンシャルチルト方向に、レンズホルダ１２及びこれに保持された対物レンズ２３，２４を傾斜させるためのチルトコイル及びチルトコイル用のマグネットを設けるように構成し、各種チルト制御を行うように構成してもよい。
【００３８】
以上のように構成された光ピックアップ装置１は、装着された光ディスクの種類に応じて、第１及び第２の光源２１，２２に設けられた出射部から第１乃至第３の波長の光ビームのうち光ディスクの種類に対応した波長の光ビームを出射させ、第１及び第２の対物レンズ２３，２４のうち光ディスクの種類に対応した対物レンズを介して照射される光ビームが所定の記録トラックに合焦して追従するようにフォーカス制御及びトラッキング制御を行うことにより、光ディスクに対して情報信号の記録又は再生を行うことができる。
【００３９】
ところで、光ピックアップ装置１において、光源２１，２２等で発生する熱からレーザの温度上昇によるレーザの性能劣化及び寿命劣化が問題となることを考慮して、本発明を適用した光ピックアップ装置１には、適正な放熱を可能とする放熱機構が設けられている。以下に光ピックアップ装置１の放熱機構について説明する。
【００４０】
光ピックアップ装置１は、放熱機構を構成する部材として、図３に示すように、第１の光源２１を固定する光源保持部としてレーザホルダ６３と、第２の光源２２を固定する光源保持部としてレーザホルダ６４と、上述したマグネット５３に取り付けられるヨーク部材６１と、上述したマグネット５４に取り付けられるヨーク部材６２とを有する。尚、この光ピックアップ装置１では、マグネット５３に取り付けられるヨーク部材６１と、マグネット５４に取り付けられるヨーク部材６２とを別体にて構成したが、これらを一体としたヨーク部材を設けるように構成してもよい。
【００４１】
この光ピックアップ装置１において、端部に設けられた第１の光源２１で発生した熱の放熱を適正に行うことが重要であり、上述したレーザホルダ６３と、ヨーク部材６１とは、放熱の構成が困難である第１の光源２１で発生した熱の放熱を行う放熱機構を構成する。すなわち、以下に、マグネット５３，５４から離間された位置に設けられる光源２１を固定するレーザホルダ６３と、光源２１に近接する位置に設けられたマグネット５３に取り付けられるヨーク部材６１とが、光源２１で発生した熱の放熱を行うことができることについて説明する。
【００４２】
光源２１に近接する位置側に設けられたヨーク部材６１は、マグネット５３，５４から離間された位置に設けられる光源２１側に延設されてレーザホルダ６３に伝熱可能なように固定されている。
【００４３】
このヨーク部材６１は、図５及び図６に示すように、マグネット５３を取り付けるための取付部として機能する上述したヨーク片部６１ａと、このヨーク片部６１ａから光源２１側に延設され、光ディスクと略平行で且つ光ディスクに対向するように形成された第１の延設部６１ｂと、この第１の延設部６１ｂからさらに延設され、この第１の延設部６１ｂに対して略直交するように形成され、ピックアップベース２０の側面の一部を覆うように設けられる第２の延設部６１ｃと、レーザホルダ６３に連結されてレーザホルダ６３を固定するための固定部６１ｄとを有している。
【００４４】
このヨーク部材６１は、ピックアップベース２０の主面２０ａに載置された状態で、その第１の延設部６１ｂに設けられたネジ孔６７と、ピックアップベース２０側のネジ孔６５とに固定ネジ６６を挿通することによりピックアップベース２０上に固定されている。また、このヨーク部材６１の固定部６１ｄは、レーザホルダ６３の挿通孔６３ａに挿通された状態でハンダ付け等によりレーザホルダ６３に伝熱可能なように固定されている。このとき、レーザホルダ６３とヨーク部材６１との間には、放熱シート７３が挟み込まれる。また、ヨーク部材６１の第１の延設部６１ｂには、位置決めを行うための係合部６８ａ〜６８ｄが設けられ、その一方で、ピックアップベース２０には、これに対応した係合突部６９ａ〜６９ｄが設けられている。
【００４５】
ヨーク部材６１は、光源２１側に連結するために延設された第１の延設部６１ｂを有するとともに、固定部６１ｄを介して直接的に光源２１を保持するレーザホルダ６３に伝熱可能なように固定されていることから、光源２１及びレーザホルダ６３を所定の位置に取り付けると同時に、熱伝導性の高い部材により形成されているので、発熱源となる光源２１に対して熱を吸収する作用を持つこととなる。また、ヨーク部材６１は、固定部６１ｄを介してレーザホルダ６３から伝熱されるだけでなく、放熱シート７３を介してもレーザホルダ６３から伝熱される。
【００４６】
すなわち、ヨーク部材６１の延設部６１ｂは、光源２１側に延設されることにより、光源２１を保持したレーザホルダ６３に対して放熱シート７３を介して連続して形成されることとなり、これにより光源２１及びレーザホルダ６３から伝熱可能とされている。また、延設部６１ｂの先端側に一体に設けられた固定部６１ｄは、レーザホルダ６３に対して直接接触された状態でハンダ付け等により固定されていることから、互いに熱伝導性が高い部材が直接接触することによる熱伝導性の高い状態でレーザホルダ６３に対して連結されていることとなり、光源２１及びレーザホルダ６３からより効率的に伝熱可能とされている。
【００４７】
そして、ヨーク部材６１は、その発熱源である光源２１からの熱を後述のように、マグネット５３、上面側カバー部材７１及び下面側カバー部材７２に伝導させることにより、放熱を行うとともに、その自身に一体に設けられた第１及び第２の延設部６１ｂ，６１ｃ及びヨーク片部６１ａからも放熱を行うことができる。
【００４８】
また、ヨーク部材６１に設けられた第１の延設部６１ｂは、光ディスクに対向するように光ディスクに略平行に設けられていることから、発熱源である光源２１が発熱する際である光ディスク装置の記録再生時等には、その光ディスクの回転による空気の流れにより冷却され、すなわち、より光源２１で発生した熱の放熱を効率的に行うことができる。
【００４９】
ヨーク部材６２は、マグネット５４を取り付けるための取付部として機能する上述したヨーク片部６２ａと、このヨーク片部６２ａからヨーク部材６１の第１の延設部６１ｂとは反対側に延設された第３の延設部６２ｂと、第３の延設部６２ｂから立ち上がり形成された立ち上がり片６２ｃとを有している。
【００５０】
このヨーク部材６２は、ピックアップベース２０の主面２０ａに載置された状態で、その第３の延設部６２ｂに設けられたネジ孔６７と、ピックアップベース２０側のネジ孔６５とに固定ネジ６６を挿通することによりピックアップベース２０に固定されている。また、このヨーク部材６２の立ち上がり片６２ｃは、後述する上面側カバー部材７１に伝熱可能なように接触されることとなる。そして、ヨーク部材６２は、後述のように上面側カバー７１に伝導された熱を吸収し、マグネット５４に伝導させることにより、放熱を行うとともに、そのヨーク部材６２自体から放熱を行うことができる。
【００５１】
また、光ピックアップ装置１は、放熱機構を構成する部材として、ピックアップベース２０の光ディスクに対向する側の主面２０ａ（以下、「上面側の主面」ともいう。）に設けられ、対物レンズ駆動機構１１を覆うように形成される上面側カバー部材７１と、ピックアップベース２０の光ディスクに対向する側の主面２０ａの反対側の主面２０ｂ（以下、「下面側の主面」ともいう。）に設けられ、ピックアップベース２０の下面側に設けられる各光学部品及びピックアップベース２０の下面を覆うように形成される下面側カバー部材７２とを有する。
【００５２】
この上面側カバー部材７１は、例えば金属製であり、すなわち高い伝熱性を有する材料からなり、対物レンズ駆動機構１１の光ディスク側を覆う駆動機構用カバー部材として機能する。
【００５３】
この上面側カバー部材７１は、複数の取付片７１ａ〜７１ｅを有し、複数の取付片７１ａ〜７１ｅをピックアップベース２０に当接させるとともに、取付片７１ｂに設けられたネジ孔と、これに対応してピックアップベース２０側に設けられたネジ孔７５に固定ネジ７６を挿通することにより、ピックアップベース２０に固定されている。また、上面側カバー部材７１は、その側部であって光源２１側に設けられた取付片７１ｅに位置決めを行うための係合部７１ｆが設けられ、ピックアップベース２０に設けられた係合突部６９ｄに係合される。これにより、上面側カバー部材７１は、上述したヨーク部材６１の第１の延設部６１ｂに、その取付片７１ａの部分を介して伝熱可能なように密着して取り付けられるとともに、上述したヨーク部材６１の第２の延設部６１ｃに、その取付片７１ｅの部分を介して伝熱可能なように密着して取り付けられることとなる。そして、上面側カバー部材７１は、レーザホルダ６３、ヨーク部材６１の固定部６１ｄ、第１の延設部６１ｂ及び第２の延設部６１ｃを介して光源２１で発生した熱が伝熱されることとなり、上面側カバー部材７１自体から放熱を行うことができる。
【００５４】
また、上面側カバー部材７１は、その構成上、光ディスクに対向するように光ディスクに略平行に設けられており、上述した第１の延設部６１ｂと同様に、発熱源である光源２１が発熱する際である光ディスク装置の記録再生時には、その光ディスクの回転による空気の流れにより冷却され、より放熱を効率的に行うことができる。
【００５５】
また、下面側カバー部材７２は、例えば金属製であり、すなわち高い伝熱性を有する材料からなり、ピックアップベース２０の対物レンズ駆動機構１１が設けられた側と反対側の面をカバーするベース用カバー部材として機能する。
【００５６】
この下面側カバー部材７２は、複数の取付片７２ｂ〜７２ｅを有し、複数の取付片７２ｂ〜７２ｅをピックアップベース２０に当接させ、ピックアップベース２０に固定されている。また、下面側カバー部材７２は、その側部であって光源２１側に設けられた取付片７２ｅに位置決めを行うための係合部７２ｆが設けられ、ピックアップベース２０に設けられた係合突部６９ｃに係合される。これにより、下面側カバー部材７２は、上述したヨーク部材６１の第２の延設部６１ｃに、その取付片７２ｅの部分を介して伝熱可能なように密着して取り付けられることとなる。そして、下面側カバー部材７２は、レーザホルダ６３、ヨーク部材６１の固定部６１ｄ、第１の延設部６１ｂ及び第２の延設部６１ｃを介して光源２１で発生した熱が伝熱されることとなり、下面側カバー部材７２自体から放熱を行うことができる。
【００５７】
以上のように、光ピックアップ装置１において、レーザホルダ６３、ヨーク部材６１、上面側カバー部材７１及び下面側カバー部材７２は、図７に示すように、レーザホルダ６３、第１の延設部６１ｂ、ヨーク片６１ａ及びマグネット５３を経由する第１の放熱経路ｈｒ１により、第１の光源２１で発生した熱をマグネット５３に伝熱し、マグネット５３及びこの経路途中において適切に行うことができ、また、レーザホルダ６３、第１の延設部６１ｂ、第２の延設部６１ｃ及び上面側カバー部材７１を経由する第２の放熱経路ｈｒ２により、第１の光源２１で発生した熱を金属製の上面側カバー部材７１に伝熱し、上面側カバー部材７１及びこの経路途中において適切に放熱を行うことができ、さらに、レーザホルダ６３、第１の延設部６１ｂ、第２の延設部６１ｃ及び下面側カバー部材７２を経由する第３の放熱経路ｈｒ３により、第１の光源２１で発生した熱を金属製の下面側カバー部材７２に伝熱し、下面側カバー部材７２及びこの経路途中において適切に放熱を行うことができる。
【００５８】
以上では、光源２１で発生した熱の放熱を行う構成について説明したが、この光ピックアップ装置１は、光源２２で発生した熱の放熱についても適正に行うことができる。すなわち、上述したレーザホルダ６４と、下面側カバー部材７２とは、光源２２で発生した熱の放熱機構を構成する。
【００５９】
上述した下面側カバー部材７２には、光源２２が設けられた位置に、立ち上がり形成された立ち上がり片７２ｇが設けられている。下面側カバー部材７２は、立ち上がり片７２ｇを介して光源２２を保持するレーザホルダ６４に伝熱可能なように接触して取り付けられていることから、発熱源となる光源２２に対して熱を吸収し、下面側カバー部材７２自体及びこれと伝熱可能な上述のヨーク部材６１及び上面側カバー部材７１を介して光源２２で発生した熱を放熱することができる。
【００６０】
また、上述のように放熱機構として機能する上面側カバー部材７１及び下面側カバー部材７２は、適正な放熱を行うことによる位置ズレ防止により光学部品を保護するとともに、取り扱い時や光ディスク装置等への実装時に、搭載されている光学部品等が他の部品等に接触して、損傷や位置ズレ等が発生することを防止して高精度の位置決めが要求される光学部品を保護することができる。
【００６１】
すなわち、上面側カバー部材７１及び下面側カバー部材７２は、光学部品がピックアップベース２０の取り付け用の凹部に露出した状態では、接触による損傷や位置ズレ、埃の影響等を受けるおそれがあることを解消して光学部品を保護するとともに、上述したヨーク部材６１を設ける構成に加えることにより、その放熱効果をさらに高めて光学部品を保護することで、樹脂製のピックアップベース２０に搭載された光学部品が位置ズレ等をすることがないように保護することを可能とする。
【００６２】
以上のように構成された光ピックアップ装置１は、上述したように発熱源である光源２１，２２で発生した熱を適切に放熱し、レーザの温度上昇によるレーザの性能劣化及び寿命劣化の問題を防止するものであるが、特に、ピックアップベース２０の端部に設けられ、放熱の構成が従来困難であった第１の光源２１で発生した熱を放熱することに特徴を有するものである。尚、一般的に、光ピックアップ装置の構成上対物レンズ駆動機構に保持される対物レンズがピックアップベース２０の平面内において略中央部に設けられ、光源からこの対物レンズまでの平面内の光路が略直線的である方が光学的に有利であるので、上述した光ピックアップ装置１における光源２１で発生した熱を適切に放熱することができる放熱機構は、非常に有用である。すなわち、本発明を適用した光ピックアップ装置１においては、光源２１，２２を用いるように構成したが、本発明は、これに限られるものではなく、例えば単一の波長の光ビームを用いるような光学系を有する光ピックアップ装置として構成してもよく、さらに、複数の波長の光ビームを出射する各出射部を単一の光源部から出射させるような光学系を有する光ピックアップ装置として構成してもよい。
【００６３】
すなわち、本発明を適用した光ピックアップ装置１は、レンズホルダ１２と、支持体１３と、マグネット５３，５４とを有する対物レンズ駆動機構１１を備える光ピックアップ装置１であって、対物レンズ駆動機構１１から離間された位置であるピックアップベース２０の平面内の端部に設けられた光源２１を固定する光源保持部としてレーザホルダ６３と、この光源２１に近接する位置側に設けられたマグネット５３に取り付けられるヨーク部材６１とを有し、レーザホルダ６３とヨーク部材６１とが、熱伝導性の高い金属により構成され、このヨーク部材６１が、この光源２１側に延設されてレーザホルダ６３に伝熱可能なように固定されていることから、すなわち、対物レンズ２３，２４から離間された位置に配置される第１の光源２１で発生した熱を、この対物レンズ２３，２４を駆動する対物レンズ駆動機構１１を構成するヨーク部材６１を延設して光源２１を保持するレーザホルダ６３に伝熱可能なように連結することにより、発生した熱をヨーク部材６１を介してマグネット５３に伝熱させこのマグネット５３から放熱させるとともに、延設されたヨーク部材６１自体からも放熱させることができ、構成の複雑化、高コスト化を招くことなく、簡素な構成で効率的に適正な放熱を行うことを実現できる。
【００６４】
また、本発明を適用した光ピックアップ装置１は、ヨーク部材６１の光源２１側に延設された第１の延設部６１ｂが光ディスクに対向するように光ディスクに略平行に設けられていることから、光ディスクの回転流により冷却効果を高め、光源２１で発生した熱の放熱を効率的に行うことを実現する。
【００６５】
また、本発明を適用した光ピックアップ装置１は、上述の第１の延設部６１ｂに対して略直交する第２の延設部６１ｃを有していることから、その第１及び第２の延設部６１ｂ，６１ｃの体積分だけ放熱効果を高め、発生した熱の放熱を効率的に行うことを実現する。
【００６６】
また、本発明を適用した光ピックアップ装置１は、ピックアップベース２０の対物レンズ駆動機構１１が設けられた側と反対側の面をカバーするベース用カバー部材として金属製の下面側カバー部材７２を備え、この下面側カバー部材７２がヨーク部材６１の第２の延設部６１ｂに伝熱可能なように固定されているとともに、下面側カバー部材７２がヨーク部材６１の第３の延設部６１ｃに伝熱可能なように固定されていることから、光源２１で発生した熱を第２の延設部６１ｂを介して下面側カバー部材７２に伝熱し、その下面側カバー部材７２から放熱させることを可能とし、効率的な放熱を実現する。
【００６７】
また、本発明を適用した光ピックアップ装置１は、対物レンズ駆動機構１１の光ディスク側を覆う駆動機構用カバー部材として金属製の上面側カバー部材７１を備え、この上面側カバー部材７１がヨーク部材６１の第２の延設部６１ｂに伝熱可能なように固定されていることから、光源２１で発生した熱を第２の延設部６１ｂを介して上面側カバー部材７１に伝熱し、その上面側カバー部材７１から放熱させることを可能とし、効率的な放熱を実現する。
【００６８】
さらに、本発明を適用した光ピックアップ装置１は、レーザホルダ６４を備えるとともに、このレーザホルダ６４に対して下面側カバー部材７２の立ち上がり片７２ｇを伝熱可能なように接触して取り付けられている構成により、もう一つの発熱源である第２の光源２２で発生した熱を下面側カバー部材７２並びにこれと伝熱可能なヨーク部材６１及び上面側カバー部材７１から放熱させることができ、上述した第１の光源２１で発生した熱のみならず第２の光源２２で発生した熱についても簡素な構成で効率的に適正な放熱を行うことを実現できる。
【００６９】
尚、上述では、第１の波長の光ビームを出射する光源２１と、これと異なる位置に配置され第２及び第３の波長の光ビームを出射する光源２２とを備える光ピックアップ装置１について説明したが、本発明の特徴的な放熱構成は、光源を２箇所設けたもののみに限定されるものではなく、例えば、光源２１の位置に一又は複数の波長の光ビームを出射する光源のみを設けたような光ピックアップ装置においても上述と同様の効果を発揮するものである。
【００７０】
また、本発明が適用された光ディスク装置１０１は、光ディスクを回転駆動する駆動手段と、対物レンズ駆動機構１１を備えこの駆動手段により回転駆動される光ディスクに対し光ビームを照射することにより駆動信号の記録及び／又は再生を行う光ピックアップ装置とを有し、この光ピックアップ装置として上述した光ピックアップ装置１を用いることにより、構成の複雑化、高コスト化を招くことなく、適正な放熱を実現して、光学部品を位置ズレ等から保護することを実現して、光学部品を高精度に位置決めすることにより良好な記録再生特性を実現する。
【図面の簡単な説明】
【００７１】
【図１】本発明を適用した光ディスク装置の概略構成を示すブロック回路図である。
【図２】本発明を適用した光ピックアップ装置の斜視図である。
【図３】本発明を適用した光ピックアップ装置の分解斜視図である。
【図４】本発明を適用した光ピックアップ装置を構成する光学系を示す平面図である。
【図５】本発明を適用した光ピックアップ装置の放熱機構を構成するヨーク部材を示す斜視図である。
【図６】本発明を適用した光ピックアップ装置の放熱機構を構成するヨーク部材及びレンズホルダを示す要部斜視図である。
【図７】本発明を適用した光ピックアップ装置の放熱機構による伝熱の流れを説明するための図であり、光ピックアップ装置の斜視図である。
【符号の説明】
【００７２】
１  光ピックアップ装置、  １２  レンズホルダ、  １３  支持体、  １４  支持アーム、  ２０  ピックアップベース、  ２１  第１の光源、  ２２  第２の光源、  ２３  第１の対物レンズ、  ２４  第２の対物レンズ、  ５３，５４  マグネット、  ６１  ヨーク部材、  ６１ｂ  第１の延設部、  ６１ｃ  第２の延設部、  ６１ｄ  固定部、  ６２  ヨーク部材、  ７１  上面側カバー部材、  ７２  下面側カバー部材、  １０１  光ディスク装置、  １０２  光ディスク、  １０３  スピンドルモータ
【図１】
2009043308.tif 000003
【図２】
2009043308.tif 000004
【図３】
2009043308.tif 000005
【図４】
2009043308.tif 000006
【図５】
2009043308.tif 000007
【図６】
2009043308.tif 000008
【図７】
2009043308.tif 000009